(57)【要約】      （修正有）【課題】長時間にわたっても疲れにくく、楽に歩行できるエアークッション付き靴を提供する。【解決手段】踵部３にエアークッション材４を装着したエアークッション付き靴１であって、上記エアークッション材４を一部が開口したコ字状や円弧状の形状として、この一部が開口した開口部５を踵部３の後端側に向けて踵部３に装着し、踵部３の後端部から上記エアークッション材４の開口部５に内装するようにして所要の弾力性の底部材を配設している。エアークッション材４内に所定の間隔で円柱状や鼓状のサポート部６を設けることが好ましい。【選択図】図１
0003209346.tif 000002
【実用新案登録請求の範囲】
【請求項１】
踵部にエアークッション材を装着したエアークッション付き靴であって、
上記エアークッション材を一部が開口したコ字状や円弧状の形状として、この一部が開口した開口部を踵部の後端側に向けて踵部に装着し、
踵部の後端部から上記エアークッション材の開口部に内装するようにして所要の弾力性の底部材を配設したことを特徴とするエアークッション付き靴。
【請求項２】
エアークッション材内に所定の間隔で円柱状や鼓状のサポート部を設けた請求項１に記載のエアークッション付き靴。
【請求項３】
エアークッション材の両側部に靴底側に向けて係止用突出部を設けた請求項１または２に記載のエアークッション付き靴。
【請求項４】
靴裏面の踵部から土踏まず部にわたって所定の深さに凹ませて形成した請求項１ないし３のいずれかに記載のエアークッション付き靴。
【考案の詳細な説明】
【技術分野】
【０００１】
本考案は、履物分野におけるクッション性に優れたエアークッション付き靴に関するものである。
【背景技術】
【０００２】
踵にエアークッション材を装着した靴は、踵がソフトに地面に着地でき、クッション性がよくて、楽に歩行することができる。
【０００３】
従来、特開平１０−２９５４０５号公報等のようにアウトソールの踵部に円弧状のエアークッション材を装着して歩行しやすくしたものが知られている。
【先行技術文献】
【特許文献】
【０００４】
【特許文献１】特開平１０−２９５４０５号公報
【考案の開示】
【考案が解決しようとする課題】
【０００５】
このように、従来では円弧状のエアークッション材をその円弧状部を踵部の後端部にそうように装着しているため、エアークッション材の踵部への底部材の装着性面から生産性が高まらず、また歩行時の踵部の着地がソフトに行なえて歩行しやすいが、体の重心が踵部の後方側ではなくて踵部の中央部からやや前方側に位置するので、長時間の歩行には改善すべき点があった。
【０００６】
そのため、本考案は、エアークッション材の踵部への底部材の装着性を高められ、また長時間にわたっても疲れにくく、楽に歩行できるようにすることが課題であった。
【課題を解決するための手段】
【０００７】
本考案は、上記のような点に鑑みたもので、上記の課題を解決するために、踵部にエアークッション材を装着したエアークッション付き靴であって、上記エアークッション材を一部が開口したコ字状や円弧状の形状として、この一部が開口した開口部を踵部の後端側に向けて踵部に装着し、踵部の後端部から上記エアークッション材の開口部に内装するようにして所要の弾力性の底部材を配設したことを特徴とするエアークッション付き靴を提供するにある。
【０００８】
また、エアークッション材内に所定の間隔で円柱状や鼓状のサポート部を設けたエアークッション付き靴を提供するにある。
【０００９】
さらに、エアークッション材の両側部に靴底側に向けて係止用突出部を設けたエアークッション付き靴を提供するにある。
【００１０】
さらにまた、靴裏面の踵部から土踏まず部にわたって所定の深さに凹ませて形成したエアークッション付き靴を提供するにある。
【考案の効果】
【００１１】
本考案のエアークッション付き靴は、実用新案登録請求の範囲の請求項１に記載のように踵部にエアークッション材を装着したエアークッション付き靴であって、上記エアークッション材を一部が開口したコ字状や円弧状の形状として、この一部が開口した開口部を踵部の後端側に向けて踵部に装着し、踵踵部の後端部から上記エアークッション材の開口部に内装するようにして所要の弾力性の底部材を配設したことによって、エアークッション材の踵部への底部材の装着性を高められ、また体の重心を踵部の中央部からやや前方部のエアークッション材のコ字状や円弧状部とそのコ字状や円弧状部で囲まれた中央部の底部材で支持できて、エアークッション材を介してソフトに地面に着地して歩行でき、疲れにくくて長時間歩行することができる。
【００１２】
また、実用新案登録請求の範囲の請求項２に記載のようにエアークッション材内に所定の間隔で円柱状や鼓状のサポート部を設けたことによって、エアークッション材を所定間隔のサポート部で所要の弾性力で支持できて、上記のように歩行できる。
【００１３】
さらに、実用新案登録請求の範囲の請求項３に記載のようにエアークッション材の両側部に靴底側に向けて係止用突出部を設けたことによって、エアークッション材を靴底の踵部に容易に装着できて成形し易くできる。
【００１４】
さらにまた、実用新案登録請求の範囲の請求項４に記載のように靴裏面の踵部から土踏まず部にわたって所定の深さに凹ませて形成したことによって、エアークッション材をブリッジ状に踵部に設けられて、踵部を所要のクッション性にできて、上記のように歩行できる。
【図面の簡単な説明】
【００１５】
【図１】本考案の一実施例の靴底部の平面図、
【図２】同上の一部省略した側断面図、
【図３】同上のエアークッション材の平面図（ａ）、左側面図（ｂ）と側断面図（ｃ）、
【図４】同上の他の実施例のエアークッション材の平面図。
【考案を実施するための形態】
【００１６】
本考案のエアークッション付き靴は、踵部にエアークッション材を装着したエアークッション付き靴であって、上記エアークッション材を一部が開口したコ字状や円弧状の形状として、この一部が開口した開口部を踵部の後端側に向けて踵部に装着し、踵部の後端部から上記エアークッション材の開口部に内装するようにして所要の弾力性の底部材を配設したことを特徴としている。
【００１７】
エアークッション付き靴１は、図１、図２のように靴底２の踵部３にエア―クッション材４を装着していて、地面にソフトに着地できて、長時間にわたって歩行しても疲れにくいようにしている。
【００１８】
上記エアークッション材４は、図１、図３（ａ）〜（ｃ）のように踵部３に合せたコ字状や円弧状、楕円弧状、Ｃ字状等の形状とし、その一部が開口した開口部５を図１、図２のように踵部３の後端側に向けて踵部３に凹設し、エアークッション材４の踵部３への装着性、底部材の装着性を高められるように形成している。
【００１９】
上記エアークッション材４は、所要の金型によってポリウレタン樹脂やエチレン樹脂等の樹脂材の上下シートによるシート溶着や真空成型、ブロー成形等によって成形できるもので、このエアークッション材４内に図３（ａ）〜（ｃ）のように所定の間隔で円柱状や鼓状のサポート部６を設け、端部の注入部７から空気や窒素等の気体を封入してほぼ４〜５Ｋｇｆ／cm2（５０〜６０ｐｓｉ）の所定の圧力状態として適正なクッション力にできるようにしている。
【００２０】
このように踵部３の後端部に向けてエアークッション材４の一端を開口した開口部５には、図１、図２のように踵部３の後端部から開口部５にわたって開口部５に囲まれるように靴底材を装着し、エアークッション材４で囲まれた状態の踵中心部８を上面が滑らかな平面上に成形するとともに、エアークッション材４の弾性力と同一状またはやや低い軟らかな弾性力の状態として足の踵部が地面にソフトに着地して快適に歩行できるようにしている。
【００２１】
上記エアークッション材４は、図１、図２のように靴底２の踵部３の内形状にそわすようにして形成していて、幅が１０〜２０ｍｍの５０〜６０ｍｍ縦長×６０〜７０ｍｍ横長×１５〜２０ｍｍ高さのものとし、このエアークッション材４で囲む内側の踵中心部８を靴内側を幅広の３０〜４０ｍｍ、後端側を幅狭の２０〜２５ｍｍとした台形形状とし、足の踵を安定性よく装着できるようにしている。
【００２２】
上記靴底２の踵部３の底面には、図２のように５〜１０ｍｍの所定の深さに凹み部９を設けて、あたかもエアークッション材４をブリッジ状に踵部３に架設状態に設け、エアークッション材４の土踏まず側、踵中心部８のクッション性を一層良好にできるようにしている。
【００２３】
このような靴底２は、ウレタン樹脂、エチレン酢酸ビニル共重合体のＥＶＡ樹脂等の合成樹脂材やゴム材等の靴底材で金型成形することができ、ポリウレタンやポリエチレン等のポリマー材料の熱可塑性樹脂等で予め真空成型やブロー成型等で成形したエアークッション材４を上記靴底材の靴底２に装着したり、金型の所定位置に設置して靴底材を挿填したりして成形することができる。
【００２４】
また、エアークッション材４の両側部には、図３（ａ）〜（ｃ）のようにエアークッション材４を視認可能に所定量膨出したクッション材の視認部１０を設けて靴底２の側部からエアクッション材４を視認できるようにしているとともに、両側部には図３（ａ）〜（ｃ）のように靴底側に向けて係止用突出部１１を突設し、係止用突出部１１を靴底２に突き刺して固定して容易に装着できて、生産性を高められるようにしている。
【００２５】
このように形成した靴底２には、適宜なインナーソール、アッパー部材を装着してエアークッション付き靴１にできるものである。
【００２６】
上記クッション材４としては、図示のようになコ字状のものに限らず、図４のようにＣ字状等の本考察の趣旨にもとづいた形状のものを採択することができる。
【実施例】
【００２７】
図１〜図３は、本考案の一実施例を示すものである。エアークッション付き靴１は、図１、図２のように靴底２の踵部３に、踵部３に合せたコ字状の形状のエアークッション材４をその一部が開口した開口部５を踵部３の後端側に向けて踵部３に一体的に凹設し、踵部３の後端部から上記エアークッション材４の開口部５に内装するようにして所要の弾力性の底部材を配設して形成している。
【００２８】
上記エアークッション材４は、所要の金型にポリウレタン樹脂の樹脂材の上下シートを供給してブロー成形によって成形し、エアークッション材４内に図３（ａ）〜（ｃ）のように所定の間隔で鼓状のサポート部６を、両側部にエアークッション材の視認部１０を膨出して設け、両側部に靴底側の下方側に向けて係止用突出部１１を突設し、注入部７から窒素の気体を封入して４Ｋｇｆ／cm2等の適正なクッション力としている。
【００２９】
このように踵部３のエアークッション材４の一端を開口した開口部５には、図１、図２のように踵部３の後端部から開口部５にわたって開口部５に内装して靴底材を装着し、エアークッション材４で囲まれた状態の踵中心部８を上面が滑らかな平面上に成形し、エアークッション材４の弾性力に比べてやや低い軟らかな弾性力の状態として足の踵部が地面にソフトに着地して快適に歩行できるようにしている。
【００３０】
エアークッション材４は、図１、図２のように靴底２の踵部３の内形状にそわすようにして形成していて、１５ｍｍ幅で、５０ｍｍ縦長、６０ｍｍ横幅、２０ｍｍ高さのものとし、エアークッション材４で囲む内側の踵中心部８を靴内側を幅広の３０ｍｍ、後端側を幅狭の２０ｍｍとした台形形状とし、足の踵を安定性よく装着できるようにしている。
【００３１】
上記靴底２は、エチレン酢酸ビニル共重合体のＥＶＡ樹脂材を所定の金型に装填して、踵部３の底面に図２のように１０〜１５ｍｍ程の深さに凹ませた凹み部９を設け、エアークッション材４をブリッジ状に踵部３に設けて踵部３のクッション性を一層良好にできるようにしている。
【００３２】
このようにエアークッション付き靴１は、エアークッション材４の一部を開口した開口部５を踵部３の後端側に向けて踵部３に装着し、踵部２の後端部から上記開口部５にわたって底部材を一体的に所要の弾力性のものとして形成したので、エアークッション材４の踵部２への底部材の装着性を高められ、また体の重心を踵部３の中央部からやや前方部のエアークッション材４のコ字状部とそのコ字状部で囲まれた中央部の底部材で支持できて、ソフトに地面に着地でき、長時間でも、疲れにくくできて歩行することができる。
【００３３】
特に、エアークッション材４内に鼓状のサポート部６を設けたので、エアークッション材４を上記のように所要の弾性力で支持できて、上記のように歩行できる。
【００３４】
また、エアークッション材４の両側部に靴底２側に向けて係止用突出部１１を設けたので、係止用突出部１１を靴底２に突き刺して固定して容易に装着できて、生産性を高められる。
【００３５】
さらにまた、靴裏面の踵部３から土踏まず部にわたって所定の深さに凹ませて形成したことで、エアークッション材４をブリッジ状に踵部３に設けられて、踵部３を所要のクッション性にできて、一層ソフトに歩行できて好ましい。
【００３６】
図４は、本考案の他の実施例で、クッション材４としてＣ字状に形成したものである。一部が開口した開口部５を図１、図２のように踵部３の後端側に向けて踵部３に一体的に凹設して成形できるもので、上記した効果と同様に奏することができ、コ字状やＣ字状等の本考察の趣旨にもとづいた形状のものを採択することができる。
【産業上の利用可能性】
【００３７】
本考案は、運動靴、ビジネスシューズ、カジュアルシューズ等の靴に広く利用できる。
【符号の説明】
【００３８】
１…エアークッション付き靴      ２…靴底    ３…踵部    ４…エアクッション材    ５…開口部        ６…サポート部    ８…踵中心部        ９…凹み部
１１…係止用突出部
【図１】
0003209346.tif 000003
【図２】
0003209346.tif 000004
【図３】
0003209346.tif 000005
【図４】
0003209346.tif 000006